(57)【要約】【課題】本発明は、棚に配置された物品の種類、数、および配列を特定することが可能な棚管理システムを提供することを主目的とする。【解決手段】本発明は、棚上に設置された圧力センサ部と、上記圧力センサ部からの情報を処理する処理部とを有する棚管理システムであって、上記圧力センサ部からの情報が、上記圧力センサ部上に配置された物品の重量情報および位置情報であり、上記処理部は、上記圧力センサ部からの情報を処理することにより、上記物品の種類、数、および配列を特定することを特徴とする棚管理システムを提供することにより、上記課題を解決する。【選択図】図１
2017071470.tif 000002
【特許請求の範囲】
【請求項１】
棚上に設置された圧力センサ部と、前記圧力センサ部からの情報を処理する処理部とを有する棚管理システムであって、
前記圧力センサ部からの情報が、前記圧力センサ部上に配置された物品の重量情報および位置情報であり、
前記処理部は、前記圧力センサ部からの情報を処理することにより、前記物品の種類、数、および配列を特定することを特徴とする棚管理システム。
【請求項２】
前記処理部は、前記圧力センサ部からの情報に基づいて圧力分布を抽出し、前記圧力分布を、予めデータベースに登録された前記物品の形状および重量と比較することにより、前記圧力センサ部上に配置された前記物品の種類、数、および配列を特定することを特徴とする請求項１に記載の棚管理システム。
【請求項３】
前記圧力センサ部が、アクティブマトリックス方式により駆動することを特徴とする請求項１または請求項２に記載の棚管理システム。
【請求項４】
前記圧力センサ部は、複数の薄膜トランジスタ、および前記複数の薄膜トランジスタ上に配置された感圧部材を有し、
前記感圧部材が感圧ゴムであることを特徴とする請求項１から請求項３までのいずれかの請求項に記載の棚管理システム。
【発明の詳細な説明】
【技術分野】
【０００１】
本発明は、棚に配置された物品の種類、数、および配列を特定することが可能な棚管理システムに関する。
【背景技術】
【０００２】
従来、食品や生活用品等の雑貨等を販売する店舗では、棚に配置された物品情報を管理するにあたり、例えば、特許文献１のような非接触データキャリア（ＲＦＩＤ）を使用した管理システムが採用されている。
【０００３】
このようなＲＦＩＤを使用した管理システムは、物品に付されたＲＦＩＤを読み取ることにより、賞味期限や産地、在庫数等の物品情報を取得することができるシステムである。そのため、物品情報を管理する際の作業効率を上げることができるという点で効果的である。また、ＲＦＩＤを使用した管理システムは、物品に接触しない状態でＲＦＩＤから物品情報を読み取ることができるため、物品の信頼性や安全性の観点からも有効である。
【先行技術文献】
【特許文献】
【０００４】
【特許文献１】特許第５０２１９６９号
【発明の概要】
【発明が解決しようとする課題】
【０００５】
ところで、ＲＦＩＤを使用した管理システムは、物品に付されたＲＦＩＤを読み取ることにより、当該物品の賞味期限や産地、在庫数等の物品情報を取得して管理することが可能であるという利点を有する。しかしながら、ＲＦＩＤを使用した管理システムの場合、物品に付されたＲＦＩＤを読み取ることにより初めて物品情報が取得できるため、各物品にＲＦＩＤタグを添付するという作業が必要となる。そのため、ＲＦＩＤを使用した管理システムであっても、未だ多くの時間と手間を要してしまうという問題がある。
【０００６】
また、様々な物品を扱う店舗においては、棚に数多くの物品が列をなして配置される。このとき、各物品は、消費者から見えやすく、かつ消費者が手に取りやすいように種類毎に整列されることが好ましい。一方、棚に配置された物品の配列は、経時的に乱れてしまうという問題がある。このような問題に対しては、店員が定期的に各棚を見て回り、物品の配列の乱れを整えるという対策が取られているが、特に多くの物品を扱う大型店舗等では、全ての棚を見て回るのに多くの時間と労力を要してしまうため限界がある。
【０００７】
本発明は、上記実情に鑑みてなされたものであり、棚に配置された物品の種類、数、および配列を特定することが可能な棚管理システムを提供することを主目的とする。
【課題を解決するための手段】
【０００８】
上記目的を達成するために、本発明は、棚上に設置された圧力センサ部と、上記圧力センサ部からの情報を処理する処理部とを有する棚管理システムであって、上記圧力センサ部からの情報が、上記圧力センサ部上に配置された物品の重量情報および位置情報であり、上記処理部は、上記圧力センサ部からの情報を処理することにより、上記物品の種類、数、および配列を特定することを特徴とする棚管理システムを提供する。
【０００９】
本発明においては、圧力センサ部および処理部を有することにより、棚に配置された物品の種類を特定することができ、また、物品の種類を特定することにより、棚に配置された物品の数および配列を特定して管理することが可能な棚管理システムとすることができる。
【００１０】
本発明においては、上記処理部は、上記圧力センサ部からの情報に基づいて圧力分布を抽出し、上記圧力分布を、予めデータベースに登録された上記物品の形状および重量と比較することにより、上記圧力センサ部上に配置された上記物品の種類、数、および配列を特定することが好ましい。処理部において、物品の種類、数および配列を効率良く特定することができるからである。
【００１１】
本発明においては、上記圧力センサ部が、アクティブマトリックス方式により駆動することであることが好ましい。物品の重量情報および位置情報を高精度かつ迅速に得ることができるからである。
【００１２】
本発明においては、上記圧力センサ部は、複数の薄膜トランジスタ、および上記複数の薄膜トランジスタ上に配置された感圧部材を有し、上記感圧部材が感圧ゴムであることであることが好ましい。物品の重量情報および位置情報をより高精度に得ることができるため、当該物品の重量情報および位置情報から物品の種類、数および配列の特定を高精度かつ迅速に行うことができるからである。
【発明の効果】
【００１３】
本発明は、棚に配置された物品の種類、数、および配列を特定することが可能な棚管理システムが得られるという効果を奏する。
【図面の簡単な説明】
【００１４】
【図１】本発明の棚管理システムの一例を示す概略図である。
【図２】本発明における圧力センサ部を説明するための説明図である。
【図３】本発明の棚管理システムにより管理される物品の種類、数、および配列を説明するための説明図である。
【図４】本発明における圧力センサ部の一例を示す概略図である。
【図５】本発明における感圧部材を説明するための説明図である。
【発明を実施するための形態】
【００１５】
以下、本発明の棚管理システムについて説明する。
【００１６】
本発明の棚管理システムは、棚上に設置された圧力センサ部と、上記圧力センサ部からの情報を処理する処理部とを有する棚管理システムであって、上記圧力センサ部からの情報が、上記圧力センサ部上に配置された物品の重量情報および位置情報であり、上記処理部は、上記圧力センサ部からの情報を処理することにより、上記物品の種類、数、および配列を特定することを特徴とするシステムである。
【００１７】
本発明の棚管理システムについて図を用いて説明する。図１は、本発明の棚管理システムの一例を示す概略図である。本発明の棚管理システムは、図１に示すように、棚１０上に設置された圧力センサ部１Ａと、圧力センサ部からの情報を処理する処理部１Ｂとを有する棚管理システム１００であって、圧力センサ部１Ａからの情報が、圧力センサ部１Ａ上に配置された物品の重量情報および位置情報であり、処理部１Ｂは、圧力センサ部１Ａからの情報を処理することにより、物品の種類、数、および配列を特定することができる。
【００１８】
本発明における圧力センサ部１Ａおよび処理部１Ｂは、図１に示すように、通常、フラットフレキシブルケーブル２により接続される。以下、フラットフレキシブルケーブルをＦＦＣと略して説明する場合がある。
【００１９】
また、本発明の棚管理システムにおける処理部１Ｂは、通常、図１に示すように、制御ユニットおよびパーソナルコンピュータを有する。この場合、圧力センサ部からの情報を制御ユニットにて処理し、その後パーソナルコンピュータにて解析を行うことが可能となる。以下、パーソナルコンピュータをＰＣと略して説明する場合がある。なお、図示はしないが、本発明における処理部は、電源ユニットを有していても良い。電源ユニットを有することにより、必要な電源を供給することが可能となる。
【００２０】
さらに、本発明の棚管理システムにおいては、図２に示すように、圧力センサ部１Ａからの配線を、フレキシブルプリント配線板４を用いて中継基板３へとまとめ、圧力センサ部１Ａおよび処理部を、上記中継基板３を介して、ＦＦＣ２により接続することが好ましい。圧力センサ部からのデータ線や走査線等の配線をフレキシブルプリント配線版により中継基板へとまとめ、また、当該中継基板および処理部をＦＦＣにより接続することで、各部材の接続部分の構造を簡略化することができる。以下、フレキシブルプリント配線板をＦＰＣと略して説明する場合がある。
【００２１】
まず、本発明の棚管理システムによれば、圧力センサ部により、棚に配置された物品の重量情報および位置情報を読み取ることができる。ここで、圧力センサ部による重量情報および位置情報の読み取りについて説明する。本発明における圧力センサ部は、Ｘ軸およびＹ軸方向に並列に配置された複数の単位センサにより構成される。そのため、本発明における圧力センサ部の所定の位置に物品が配置されると、当該物品が配置された位置に対応する単位センサにより圧力を感知して物品の重量情報および位置情報を読み取ることができる。
【００２２】
次に、本発明の棚管理システムによれば、処理部により、圧力センサ部からの情報を処理することができ、物品の種類、数、および配列を特定することができる。ここで、処理部による物品の種類、数、および配列の特定について説明する。本発明においては、処理部は、圧力センサ部からの情報に基づいて圧力分布を抽出し、圧力分布を、予めデータベースに登録された上記物品の形状および重量と比較することにより、圧力センサ部上に配置された物品の種類、数、および配列を特定することができる。このような処理部は、通常、制御ユニットおよびＰＣを備えており、この場合、制御ユニットでは圧力分布の抽出を行うことができ、ＰＣでは、予めデータベースに登録された物品の形状および重量との比較を行い、圧力センサ部上に配置された物品の種類、数、および配列を特定することができる。ここで、予めデータベースに登録された物品の形状とは、具体的には、圧力センサ部上に物品を配置したときの圧力分布外形形状であることが好ましい。すなわち、処理部においては、圧力センサ部からの情報に基づいて抽出した圧力分布のデータと、予めデータベースに登録された物品の圧力分布外形形状および重量との照合が行われる。
【００２３】
本発明の棚管理システムによれば、上述のように物品の種類を特定することにより、棚上に配置され特定された物品の数を特定することができる。したがって、圧力センサ部により読み取られた重量情報を、処理部にて経時的に複数回処理することにより、例えば、図３（ａ）に示すように、経時的な物品の数の推移を特定することができる。図３（ａ）は、物品Ａ、Ｂ、Ｃの３種類の物品の経時的な数の推移を示すグラフであり、横軸は時間を表わし、縦軸は物品の数の増減を表す。
【００２４】
また、本発明の棚管理システムによれば、上述のように物品の種類を特定することにより、棚上に配置された物品の配列を特定することができる。したがって、圧力センサ部により読み取られた位置情報を、処理部にて経時的に複数回処理することにより、例えば、図３（ｂ−１）、（ｂ−２）に示すように、経時的な物品の配列を特定することができる。図３（ｂ−１）は、物品Ａ、Ｂ、Ｃの３種類の物品の配列を示す図であり、図３（ｂ−２）は、図３（ｂ−１）の所定の時間後における物品Ａ、Ｂ、Ｃの３種類の物品の配列を示す図である。本発明においては、図３（ｂ−１）、（ｂ−２）に示すように、経時的な物品の配列の乱れを発見することが可能である。また、図３（ｂ−２）の符号Ｘで示すように、予め処理部に登録された物品に該当しないものを発見した場合には、異物や物品の転倒として検知することが可能である。なお、図３（ｂ−１）、（ｂ−２）は、物品Ａ、Ｂ、Ｃが配置された棚を平面視上観察した図である。
【００２５】
以下、本発明の棚管理システムについて説明する。
【００２６】
Ａ．構成
１．圧力センサ部
本発明における圧力センサ部は、棚上に設置される部材であり、圧力センサ部上に配置された物品の重量情報および位置情報を読み取ることが可能な部材である。
【００２７】
本発明における圧力センサ部の形状は、棚上に設置され、表面に物品を配置することが可能な形状であることが好ましく、通常はシート状である。シート状の圧力センサ部は、棚に並列に配置されることが好ましい。
【００２８】
本発明における圧力センサ部の構成は、一般的な圧力センサ装置と同様とすることができ、特に限定されない。例えば、基板と、上記基板上に配置された薄膜トランジスタと、上記薄膜トランジスタ上に配置された感圧部材とを有する構成とすることができる。本発明における薄膜トランジスタは、アクティブマトリクス方式により駆動するものであっても良く、パッシブマトリクス方式により駆動するものであっても良いが、高精度かつ高速な圧力の検出を行うことが可能であることから、アクティブマトリクス方式により駆動するものが好ましい。以下、薄膜トランジスタについては、アクティブマトリクス方式により駆動するものについて説明する。
【００２９】
本発明における薄膜トランジスタは、基板上に配列された複数のデータ線と、上記複数のデータ線に交差して配置された複数の走査線と電気的に接続され、上記複数のデータ線および上記複数の走査線が交差する複数の交点に複数配置される。以下、図を参照しながら説明する。
【００３０】
図４（ａ）は、本発明における圧力センサ部の一例を示す概略平面図であり、図４（ｂ）は、図４（ａ）の領域Ｒを拡大した拡大図であり、図４（ｃ）は、図４（ｂ）のＡ−Ａ線断面図である。
図４（ａ）に示すように、本発明における圧力センサ部１Ａは、基板と、上記基板上に配置されたｍ本（但し、ｍは２以上の自然数）のデータ線Ｘ１〜Ｘｍと、上記基板上に、上記データ線Ｘ１〜Ｘｍと交差して配置されたｎ本（但し、ｎは２以上の自然数）の走査線Ｙ１〜Ｙｎと、上記データ線Ｘ１〜Ｘｍおよび上記走査線Ｙ１〜Ｙｎが交差する複数の交点に配置され、上記データ線Ｘ１〜Ｘｍおよび走査線Ｙ１〜Ｙｎと電気的に接続された複数の薄膜トランジスタとを有し、さらに、上記薄膜トランジスタ上に配置された感圧部材１８とを有する。また、図４（ｂ）に示すように、データ線１１は、薄膜トランジスタにおけるソース電極１３Ｓと電気的に接続され、走査線１２とゲート電極１４とが電気的に接続される。さらに、図４（ｃ）に示すように、薄膜トランジスタは、基板１０上に配置されたゲート電極１４、ゲート絶縁層１５、上記ゲート電極１４および上記ゲート絶縁層１５を介して配置されたソース電極１３Ｓおよびドレイン電極１３Ｄ、ならびに上記ソース電極１３Ｓおよび上記ドレイン電極１３Ｄ間に配置された半導体層１６により構成され、必要に応じてパッシベーション層１９を有する。また、図４（ｃ）に示すように、薄膜トランジスタ上には感圧部材１８が配置され、感圧部材１８を介してドレイン電極１３Ｄと対向するように共通電極１７が配置される。
なお、図を簡略にするために、図４（ａ）ではゲート絶縁層、半導体層、共通電極、パッシベーション層を省略しており、図４（ｂ）では、ゲート絶縁層、共通電極層、パッシベーション層を省略している。
【００３１】
本発明における圧力センサ部は、複数の薄膜トランジスタと、その上に配置された感圧部材とを有しており、一の薄膜トランジスタと一の感圧部材とから構成される単位センサを複数有している。単位センサの数は、圧力センサ部の大きさ等に応じて適宜調整することができるが、例えば、数百×数百程度、具体的には３００×４００程度とすることができる。また、単位センサの大きさは、例えば、数百μｍ〜数ｍｍの範囲内、具体的には１ｍｍ□画素に設計することができる。
【００３２】
本発明における圧力センサ部は、薄膜トランジスタ上に感圧部材が配置され、感圧部材がドレイン電極に接触し、かつ感圧部材を介してドレイン電極と共通電極とが接続するように構成されている。したがって、共通電極側から感圧部材に圧力が付与された際に、加圧領域の抵抗が低下し、ドレイン電極と共通電極とが電気的に接続されるため、圧力を検出することができる。したがって、例えば、図４（ａ）に示すように、Ｘ１〜ＸｍおよびＹ１〜Ｙｎの位置に配置された複数の単位センサを有する本発明の圧力センサ部においては、各単位センサにより、各位置における重量情報を得ることができる。
【００３３】
以下、圧力センサ部を構成する感圧部材および薄膜トランジスタについて説明する。
【００３４】
（１）感圧部材
本発明における感圧部材は、圧力センサ部において薄膜トランジスタ上に配置される部材である。
【００３５】
本発明における感圧部材は、付与される圧力に応じて電気性能が変化する部材であることが好ましく、例えば、面抵抗が変化する感圧ゴムが挙げられる。また、その他にも、例えば電気容量の変化を用いた容量タイプのものが挙げられる。容量タイプのものは、例えば、対向基板と画素電極との間に、ギャップ材により所定の空間を設け、付与される圧力に応じてギャップが小さくなることにより容量が変化し、当該容量の変化から圧力を検知するというものである。
本発明においては、感圧部材として感圧ゴムを用いることが好ましい。以下、感圧ゴムについて説明する。
【００３６】
本発明における感圧ゴムとしては、例えば、絶縁性樹脂内で導電性粒子が分散された感圧ゴムであることが好ましい。より高精度な圧力の検出が可能であるため、圧力センサ部における物品の重量および底面の形状から、物品の特定を高精度に行うことができるからである。このような感圧ゴムの場合、図５（ａ）に示すように、無圧下では電気絶縁性を示し、図５（ｂ）に示すように所定の圧力が付与されたときに、絶縁性樹脂１８ａ内で導電性粒子１８ａ同士が接触し、感圧ゴム１８の電気抵抗を低下させることができる。
【００３７】
感圧ゴムに用いられる絶縁性樹脂は、所定の電気絶縁性を有する樹脂であることが好ましい。また、導電性粒子を分散することができ、圧力センサ部に加えられた圧力に応じて変形する弾性を有することが好ましい。例えば、シリコーン樹脂、フッ素樹脂、ポリアミド樹脂、アクリル樹脂、ポリウレタン樹脂、ポリエステル樹脂、エポキシ樹脂、ブチラール樹脂、スチレン−エチレン共重合体、ブチレン−オレフィン共重合体、オレフィン−エチレン共重合体およびブチレン・オレフィン共重合体等が挙げられる。
【００３８】
感圧ゴムに用いられる導電性粒子は、所定の導電性を有することが好ましい。例えば、グラファイト、導電性カーボン、銅、アルミニウム、ニッケル、鉄粉、金属酸化物である導電性酸化スズや導電性酸化チタン、有機樹脂の炭化物等の炭素系粒子が挙げられる。また、上記導電性粒子は、２種以上を組み合わせて用いても良い。
【００３９】
（２）薄膜トランジスタ
本発明における薄膜トランジスタは、圧力センサ部において感圧部材の下に配置される部材である。本発明においては、薄膜トランジスタの１単位が、圧力センサ部の単位センサに対応する。
【００４０】
本発明における薄膜トランジスタの駆動方式としては、アクティブマトリクス方式により駆動するものであっても良く、パッシブマトリクス方式により駆動するものであっても良いが、圧力を高精度かつ高速で検出するということから、アクティブマトリクス方式により駆動するものであることが好ましい。物品の位置情報および数情報を高精度かつ高速で得ることができるからである。
【００４１】
本発明における薄膜トランジスタは、通常、ゲート電極、ゲート絶縁層、ソース電極、ドレイン電極、および半導体層により構成される。このような薄膜トランジスタの構造は、基板上に形成されたゲート電極、ゲート電極上に形成されたゲート絶縁層、ゲート絶縁層上に形成されたソース電極およびドレイン電極を有するボトムゲート型であっても良く、基板上に形成されたソース電極およびドレイン電極、ソース電極およびドレイン電極上に形成されたゲート絶縁層、およびゲート絶縁層上に形成されたゲート電極を有するトップゲート型であっても良い。
【００４２】
また、本発明における薄膜トランジスタは、必要に応じて他の構成を有するものであっても良い。具体的には、本発明における薄膜トランジスタがボトムゲート構造である場合、半導体層を覆うように形成され、空気中に存在する水分や酸素の作用による上記半導体層の劣化を防止するパッシベーション層や、基板上に形成され、電極が形成される基板表面を平坦面とするオーバーコート層等が挙げられる。
【００４３】
本発明における薄膜トランジスタの各構成については、一般的な薄膜トランジスタに用いられる構成と同様とすることができるため、ここでの説明は省略する。なお、例えば特開２０１３−０１２６１０号公報に記載された構成と同様とすることができる。
【００４４】
（３）データ線および走査線
本発明におけるデータ線および走査線は、基板上に配列され、互いに交差するように配置される。データ線および走査線により、複数の薄膜トランジスタに信号を供給することができ、この信号により薄膜トランジスタを駆動させることができる。
【００４５】
本発明におけるデータ線および走査線は、それぞれ末端部分で導通している。なお、本発明におけるデータ線および走査線の材料や形成方法等については、一般的に用いられるものと同様とすることができるため、ここでの記載は省略する。
【００４６】
２．処理部
本発明における処理部は、圧力センサ部からの情報を処理する部材であり、圧力センサ部からの情報を処理することにより、物品の種類、数、および配列を特定することが可能な部材である。
【００４７】
また、本発明における処理部は、圧力センサ部からの情報に基づいて圧力分布を抽出し、上記圧力分布を、予めデータベースに登録された物品の形状および重量と比較することにより、圧力センサ部上に配置された上記物品の種類、数、および配列を特定することが好ましい。処理部において、物品の種類、数および配列を効率良く特定することができるからである。
【００４８】
本発明における処理部は、通常、制御ユニットおよびＰＣを有する。
この場合、制御ユニットにおいては、例えば、データ線と直列接続した抵抗に印加する電圧を、Ａ−Ｄコンバーターによりビットデータ（電圧値）に変換し、当該ビットデータを、ＵＳＢケーブル等を介してＰＣへと送信することができる。
また、ＰＣにおいては、例えば、まず、制御ユニットから送信されたビットデータを電流値＝抵抗／電圧の式に基づいて電流値に変換し、次いで、予め計測された電流値と圧力値との関係を基に、得られた電流値を圧力値に変換する。これにより、圧力分布データを得ることができ、当該圧力分布データと、予めデータベース内に登録されている物品の形状や重量とを比較することで、物品の数や配列を抽出することができる。
なお、ＰＣにおいて行われるビットデータから電流値への変換、および、電流値から圧力値への変換は、制御ユニットにおける中央処理装置、いわゆるＣＰＵにて行うことも可能である。
【００４９】
３．その他の構成
本発明の棚管理システムは、上述した圧力センサ部および処理部を有していれば良く、必要に応じてその他の構成を有していても良い。例えば、圧力センサ部および処理部を接続するためのＦＦＣ、圧力センサ部からの配線をまとめるためのＦＰＣおよび中継基板、処理部と接続させて必要な電力の供給を行う電源ユニット等が挙げられる。また、本発明においては、必要に応じて、処理部にて物品を特定した後に、その情報をタブレット等の各種端末に送信することが可能である。なお、これらのその他の構成については、一般的に用いられるものと同様とすることができるため、ここでの説明は省略する。
【００５０】
４．棚
本発明における棚は、圧力センサ部が設置される部材である。
【００５１】
本発明における棚は、圧力センサ部を設置することができるものであれば特に限定されず、本発明の棚管理システムの用途に応じて適宜選択することができる。本発明においては、例えば店舗等において商品を陳列するための陳列棚として用いられることが好ましい。
【００５２】
このような棚は、例えば図１に示すように、四方に配置された支持部１０Ａと、支持部１０Ａの間に複数段設けられた棚部１０Ｂとを有する。また、支持部１０Ａの間において、棚部１０Ｂは所定の空間を空けて水平に設けられた構成となる。さらに、通常は、上下に隣り合う棚部１０Ｂの間の空間は、前方および後方の少なくとも一方が開放している構成となる。
【００５３】
Ｂ．用途
本発明の棚管理システムは、棚上に設置された圧力センサ部と、圧力センサ部からの情報を処理する処理部とを有する棚管理システムであって、圧力センサ部からの情報が、圧力センサ部上に配置された物品の重量情報および位置情報であり、処理部は、圧力センサ部からの情報を処理することにより、物品の種類、数、および配列を特定することを特徴とするシステムである。
【００５４】
本発明においては、棚管理システムが圧力センサ部および処理部を有することにより、棚に配置された物品の種類、数および配列を特定することができるため、次のような用途に好適に用いることができる。
【００５５】
本発明においては、棚に配置された物品の種類を特定することができるため、例えば、どの棚に何の物品が配置されているかを管理することができる。したがって、特に大型の店舗等では、特定の物品を探す手間を省くことが可能となる。
また、棚に配置された物品の数を特定することができるため、棚に配置された物品の在庫数を把握して、物品の補充等を効率良く行うことが可能となる。
さらに、棚に配置された物品の配列を特定することができるため、物品の配列の乱れを把握することができ、時間や手間をかけずに効率良く物品の配列を整えることが可能となる。
さらにまた、棚に配置された物品の種類を特定することができるため、物品の底面、すなわち物品が圧力センサ部に接触している面の形状を把握することができる。したがって、棚上において物品が転倒している等の異常を感知することができる。なお、棚での物品の転倒等の異常については、処理部においてデータベースとの照合を行う際に、予め登録された物品情報と一致しないことにより発見することができる。
【００５６】
また、本発明の棚管理システムを用いて得られた上述の物品情報を定期的に取得することにより、経時的な物品情報の変動を把握することが可能となる。したがって、例えば店舗等では、商品の売れ行きをリアルタイムで調査することができ、マーケティングを行う上で重要な情報を得ることが可能となる。
【００５７】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００５８】
１Ａ  …圧力センサ部
１Ｂ  …処理部
２    …ＦＦＣ
３    …中継基板
４    …ＦＰＣ
１０  …棚
１００…棚管理システム
【図１】
2017071470.tif 000003
【図２】
2017071470.tif 000004
【図３】
2017071470.tif 000005
【図４】
2017071470.tif 000006
【図５】
2017071470.tif 000007